(57)【特許請求の範囲】
【請求項１】
複数の合成樹脂製ボトルの胴部をその外側から結束する板紙を筒状に形成してなる胴部結束部と、該胴部結束部に連設され、該胴部結束部により結束された各ボトルの頸部を一体に保持する板紙によって形成された頸部保持部とを備えるボトル結束具であって、
該頸部保持部は、略矩形状の第１基板部と、該第１基板部の所定位置に貫通して形成されて、各ボトルの頸部を各別に挿通自在の複数の第１挿通穴と、各第１挿通穴の内周縁に沿って所定間隔を存して配設され、該第１挿通穴に挿通された前記ボトルの頸部の側壁に沿って上方に折れ曲がって該ボトルの頸部の外周に突設された鍔状部に係止する複数の第１係止片と、前記第１基板部の下面に重合された第２基板部と、該第２基板部に形成されて前記各第１挿通穴に合致する複数の第２挿通穴と、各第２挿通穴の内周縁に沿って各第１係止片間の間隔位置に対応して配設されると共に、該第２挿通穴に挿通された前記ボトルの前記鍔状部に係止する複数の第２係止片とを備え、
前記第１基板部は、前記胴部結束部の上縁の一部から上方に向かって延設された単一の連結板に折目線を介して一体に連設され、該折目線を介して水平に折り曲げられ、
前記第２基板部は、前記第１基板部の先端縁に折目線を介して一体に連設され、該折目線を介して折り返されて前記第１基板部の下面に重合されていることを特徴とするボトル結束具。
【請求項２】
各第２係止片は、各第１係止片と共に前記ボトルの頸部の側壁に沿って上方に折れ曲がったとき、各第１係止片の頂部と同一円周線上に各第２係止片の頂部が位置する長さに形成されていることを特徴とする請求項１記載のボトル結束具。
【請求項３】
前記第１係止片と前記第２係止片とは一部が互いに重合して設けられていることを特徴とする請求項１又は２記載のボトル結束具。
【請求項４】
前記第１係止片は、各第１挿通穴の直径方向に互いに対向して一対ずつ設けられ、前記第２係止片は、各第１挿通穴に設けられた両第１係止片の間の間隔位置に対応して各第２挿通穴の直径方向に互いに対向して一対ずつ設けられていることを特徴とする請求項１又は２記載のボトル結束具。
【請求項５】
前記連結板は手指を挿入して前記頸部保持部を把持可能とする把持穴部が形成されていることを特徴とする請求項１乃至４の何れか１項記載のボトル結束具。
【請求項６】
前記第１基板部及び前記第２基板部の外側縁から前記第１挿通穴及び前記第２挿通穴に向かって引き裂くことにより頸部保持部における頸部の保持を解除自在とする引き裂き案内用の切り込みが、前記第１基板部及び前記第２基板部の外側縁に設けられていることを特徴とする請求項１乃至５の何れか１項記載のボトル結束具。
【発明の詳細な説明】
【０００１】
【発明の属する技術分野】
本発明は、複数の合成樹脂製ボトルを一体に結束して持ち運び容易とするボトル結束具に関する。
【０００２】
【従来の技術】
従来、例えば特開平１０−１４７３６６号公報に見られるように、複数のＰＥＴ（ポリエチレンテレフタレート）ボトル入り飲料を持ち運び容易とするためのボトル結束具が知られている。この種のボトル結束具は、ボトルの頸部を挿通支持する板状の保持部と、該保持部に設けられた手提げハンドルとを備えている。該保持部は、ボトルの頸部を挿通する複数の挿通穴と、各挿通穴の内周縁部に放射状に形成された複数の切れ目とを備えている。該挿通穴は切れ目が開いてボトルの頸部が挿通され、ボトルの頸部に設けられた鍔状部の下方で切れ目が閉じることによってボトルを取外し自在に支承する。
【０００３】
しかし、鍔状部の下方で切れ目が閉じるためには、比較的強い復元弾性が必要となるために、保持部の材料にポリエチレンやポリプロピレン等の合成樹脂製板材を採用する必要があり、ボトル結束具の廃棄や焼却が困難となる不都合がある。
【０００４】
そこで、焼却や焼却が容易な板紙を材料として前記保持部を形成することが考えられるが、飲料が収納されて比較的重量の大きい複数のＰＥＴボトルを保持するだけの強度を得ることが難しい不都合があった。
【０００５】
【発明が解決しようとする課題】
かかる不都合を解消して、本発明は、板紙を材料として十分な強度を得ることができる構造のボトル結束具を提供することを目的とする。
【０００６】
【課題を解決するための手段】
本発明は、複数の合成樹脂製ボトルの胴部をその外側から結束する板紙を筒状に形成してなる胴部結束部と、該胴部結束部に連設され、該胴部結束部により結束された各ボトルの頸部を一体に保持する板紙によって形成された頸部保持部とを備えるボトル結束具である。そして、前記目的を達成するために、該頸部保持部は、略矩形状の第１基板部と、該第１基板部の所定位置に貫通して形成されて、各ボトルの頸部を各別に挿通自在の複数の第１挿通穴と、各第１挿通穴の内周縁に沿って所定間隔を存して配設され、該第１挿通穴に挿通された前記ボトルの頸部の側壁に沿って上方に折れ曲がって該ボトルの頸部の外周に突設された鍔状部に係止する複数の第１係止片とを備える。また、前記第１基板部の下面に重合された第２基板部と、該第２基板部に形成されて前記各第１挿通穴に合致する複数の第２挿通穴と、各第２挿通穴の内周縁に沿って各第１係止片間の間隔位置に対応して配設されると共に、該第２挿通穴に挿通された前記ボトルの前記鍔状部に係止する複数の第２係止片とを備え、前記第１基板部は、前記胴部結束部の上縁の一部から上方に向かって延設された単一の連結板に折目線を介して一体に連設され、該折目線を介して水平に折り曲げられ、前記第２基板部は、前記第１基板部の先端縁に折目線を介して一体に連設され、該折目線を介して折り返されて前記第１基板部の下面に重合されていることを特徴とする。
【０００７】
本発明のボトル結束具は、板紙によって形成されていることにより廃棄や焼却を容易に行なうことができる。また、前記頸部保持部は一対の基板部を重ね合わせた構成とされているので、板紙で形成されていても内容物が収容された合成樹脂製ボトルを支持するための十分な強度を得ることができる。更に、前記第１係止片と前記第２係止片とはボトルの頸部の側壁に沿って上方に折れ曲がった状態でその頂部が鍔状部に突き当たって係止するので、板紙で形成されていても確実にボトルの頸部を保持することができる。
【０００８】
しかも、前記第１基板部及び前記第２基板部の夫々に前記第１係止片及び前記第２係止片を設けて、第１係止片間の間隙に第２係止片が位置するので、ボトルの鍔状部に対して略全周に亘って第１係止片及び第２係止片を当接させることができ、該鍔状部を強固に係止することができる。
また、本発明の構成では、まず、結束するボトルを整列させてその上方から胴部結束部を外装させ、第２基板部を第１基板部の下面側に折り返し重合させた頸部保持部を連結板の折目線を介して水平に折り曲げつつ、第１挿通穴と第２挿通穴とにボトル頸部を挿通させる。このように、互いに重合する第１基板部と第２基板部とからなる頸部保持部が胴部結束部の一部に連結板を介して一体に連結されていることにより、ボトルを結束するときに第１挿通穴と第２挿通穴とにボトル頸部を挿通させる作業が一挙動で行なえ、ボトルの結束作業を迅速に行なうことができる。
【０００９】
更に、本発明において、各第２係止片は、各第１係止片と共に前記ボトルの頸部の側壁に沿って上方に折れ曲がったとき、各第１係止片の頂部と同一円周線上に各第２係止片の頂部が位置する長さに形成されていることを特徴とする。
【００１０】
これにより、第１係止片と第２係止片とが、ボトルの頸部の側壁に沿って上方に折れ曲がったときに全ての係止片の頂部が同一円周線上に位置するので、ボトルの鍔状部に対して略全周に亘って第１係止片及び第２係止片を均等に当接させることができ、該鍔状部を一層強固に係止することができる。
【００１１】
このとき、前記第１係止片と前記第２係止片とは一部が互いに重合して設けられていることを特徴とする。これにより、ボトルの鍔状部に互いに隣接して当接する第１係止片と第２係止片との隙間を小とすることができ、鍔状部への係止強度を一層向上させることができる。
【００１２】
また、前記第１係止片は、各第１挿通穴の直径方向に互いに対向して一対ずつ設けられ、前記第２係止片は、各第１挿通穴に設けられた両第１係止片の間の間隔位置に対応して各第２挿通穴の直径方向に互いに対向して一対ずつ設けられていることを特徴とする。これにより、個々の第１係止片及び第２係止片の形状を比較的大として強度を向上させることができ、鍔状部への係止強度を一層向上させることができる。
【００１３】
また、本発明における頸部保持部の態様の一つとして、前記第１基板部は、前記胴部結束部の上縁の一部から上方に向かって延設された連結板に折目線を介して一体に連設され、該折目線を介して水平に折り曲げられ、前記第２基板部は、前記第１基板部の先端縁に折目線を介して一体に連設され、該折目線を介して折り返されて前記第１基板部の下面に重合されていることが挙げられる。
【００１７】
また、本発明において、前記連結板は手指を挿入して前記頸部保持部を把持可能とする把持穴部が形成されていることが好ましい。これにより、前記頸部保持部を把持する際に該把持穴部に手指を挿入することで持ち運びを容易とすることができる。
【００１８】
また、本発明においては、前記第１基板部及び前記第２基板部の外側縁から前記第１挿通穴及び前記第２挿通穴に向かって引き裂くことにより頸部保持部における頸部の保持を解除自在とする引き裂き案内用の切り込みが、前記第１基板部及び前記第２基板部の外側縁に設けられていることが好ましい。これにより、引き裂き案内用の切り込みを介して前記第１基板部及び前記第２基板部を容易に引き裂くことができ、ボトルの結束を解除するときに、前記第１挿通穴及び前記第２挿通穴を切り開いて頸部保持部における頸部の保持を極めて容易に解除することができる。
【００１９】
【発明の実施の形態】
本発明の一実施形態を図面に基づいて説明する。図１は本実施形態のボトル結束具の使用状態を示す説明的斜視図、図２は本実施形態のボトル結束具の展開図、図３は頸部保持部の平面図、図４は要部の断面説明図、図５は引き裂き案内用の切り込みの作用を示す説明図である。
【００２０】
本実施形態のボトル結束具１は、図１に示すように、２本の飲料入りＰＥＴボトルａの胴部ｂを結束する筒状の胴部結束部２と、ボトルａの頸部ｃを一体に保持する頸部保持部３とを備えている。
【００２１】
該ボトル結束具１は、図２に展開して示すように、一枚の板紙を所定形状に打ち抜くことによって形成されている。前記胴部結束部２は図２示の展開状態では帯板状に形成されており、その両端部の接着部４を互いに接着することによって筒状に形成される。また、該胴部結束部２の一部の上縁には連結板５が折目線６を介して連設されている。該連結板５の先端縁には、折目線７を介して第１基板部８が連設されている。更に、該第１基板部８の先端縁には折目線９を介して第２基板部１０が連設されている。該第２基板部１０は折目線９を介して折り返され、第１基板部８の下面側に重合されることによって図１示のように前記頸部保持部３を形成する。
【００２２】
また、図２に示すように、前記第１基板部８には、ボトルａの頸部ｃ（図１参照）が挿通される第１挿通穴１１が形成されている。該第１挿通穴１１には所定間隔を存して該第１挿通穴１１の内周縁に沿って配設された複数の第１係止片１２が形成されている。各第１係止片１２は折目線１３を介して起立自在とされている。同じように、前記第２基板部１０には、前記第１挿通穴１１と略同径の第２挿通穴１４が形成されている。該第２挿通穴１４には所定間隔を存して該第２挿通穴１４の内周縁に沿って配設された複数の第２係止片１５が形成されている。各第２係止片１５は折目線１６を介して起立自在とされている。各第１係止片１２及び各第２係止片１５は、図１に示すように、ボトルａの頸部ｃに突出する鍔状部ｄに係止される。
【００２３】
そして、第１基板部８の下面側に第２基板部１０を重合させたとき、図３に示すように、各第２係止片１５は各第１係止片１２の間隔位置に一部重合して位置するように設けられている。更に、各第２係止片１５は各第１係止片１２よりも長い寸法に形成されている。各第２係止片１５の長さは板紙の厚み寸法を考慮して定められている。即ち、各第１係止片１２と共に各第２係止片１５が起立したとき、各第２係止片１５が各第１係止片１２の下側から折り曲げられることによって板紙の厚み寸法のぶん短くなることを考慮し、各第２係止片１５を各第１係止片１２よりも長い寸法に設けることによって、各第１係止片１２と共に各第２係止片１５が起立したときに、図４に示すように、各第１係止片１２の頂部と、各第２係止片１５の頂部とを同一円周線上に位置させることができる。これによって、ボトルａの鍔状部ｄに各第１係止片１２の頂部と各第２係止片１５の頂部とを均一に当接させることができ、ボトルａの頸部ｃを強固に保持することができる。
【００２４】
また、図２及び図３に示すように、第１基板部８と第２基板部１０との両側縁部には突起１７が設けられており、該突起１７の基端部には切り込み１８が形成されている。該切り込み１８を設けたことによって、図５に示すように、突起１７を把持して引っ張るだけで頸部保持部３を引き裂いて第１挿通穴１１及び第２挿通穴１４を開放させることができる。これにより、該頸部保持部３に強固に保持されたボトルａの頸部ｃを該頸部保持部３から極めて容易に取り外すことができる。更に、図１及び図２に示すように、前記連結板５の一部には貫通された把持穴部１９が形成されている。該把持穴部１９に手指を挿入して、図１のように結束されたボトルａをつり提げることができ、持ち運びを容易とすることができる。また、ボトル結束具１が紙製であることによって廃棄及び焼却が容易に行なえる。
【００２８】
なお、本発明においては、本実施形態に示す第１係止片１２及び第２係止片１５の形状に限るものではない。例えば、図９に示す形状としてもよい。即ち、図９（ａ）に示すように、第１挿通穴１１の内周縁には、該第１挿通穴１１の直径方向に対向する一対の第１係止片２１が形成されている。両第１係止片２１は折目線２２を介して起立自在とされている。同じように、図９（ｂ）に示すように、第２挿通穴１４には、該第２挿通穴１４の直径方向に対向する一対の第２係止片２３が形成されている。両第２係止片２３は折目線２４を介して起立自在とされている。そして、第１基板部８の下面側に第２基板部１０を重合させたときには、図９（ｃ）に示すように、各第２係止片２３は各第１係止片２１の間隔に位置するように設けられている。
【００２９】
このように、第１係止片２１及び第２係止片２３を一対ずつ設けることによって第１係止片２１及び第２係止片２３の形状を比較的大とすることができ、ボトルａの頸部ｃを強固に保持することができる。
【００３０】
また、本実施形態においては、２本のボトルａを結束するボトル結束具１，２０を示したが、更に多くのボトルａを結束する場合には、図示しないが、前記胴部結束部２の内径寸法をボトルａの数量に合わせて大径とし、前記第１係止片１２及び第２係止片１５を備える第１挿通穴１１及び第２挿通穴１４の数を増加させるだけでボトルａの数量に容易に対応させることができる。
【図面の簡単な説明】
【図１】本発明の一実施形態のボトル結束具の使用状態を示す説明的斜視図。
【図２】本実施形態のボトル結束具の展開図。
【図３】頸部保持部の平面図。
【図４】要部の断面説明図。
【図５】引き裂き案内用の切り込みの作用を示す説明図。
【図６】他の頸部保持部の平面図。
【符号の説明】
ａ…合成樹脂製ボトル（ＰＥＴボトル）、ｂ…胴部、ｃ…頸部、ｄ…鍔状部、１，２０…ボトル結束具、２…胴部結束部、３…頸部保持部、５…連結板、８…第１基板部、１０…第２基板部、１１…第１挿通穴、１２，２１…第１係止片、１４…第２挿通穴、１５，２３…第２係止片、１８…切り込み、１９…把持穴部。
【図１】
0004763147.tif 000002
【図２】
0004763147.tif 000003
【図３】
0004763147.tif 000004
【図４】
0004763147.tif 000005
【図５】
0004763147.tif 000006
【図６】
0004763147.tif 000007